(57)【要約】【課題】。高度の工作精度を不要としながら、エアゾール内容物を、数十分、数時間、数日、数週間等の単位で長期間、噴霧し続けることを可能とする。殺虫剤、害虫忌避剤、消毒薬、香水、消臭剤等を微量に長時間噴霧することにより、人間への影響を少なくしながら有効な殺虫効果を得たり、忌避効果、消毒効果、香り、消臭効果を得ることを可能にする。【解決手段】エアゾール容器１のバルブ機構と連通するノズルケーシング１１の先端にボール１３を配置する。このボール１３の半球よりも先端側までノズルケーシング１１の先端固定部１４を延伸して配置する。この先端固定部１４をボール１３の半球よりも先端側の外周面に巻締め固定することにより、ボールをノズルケーシング１１に不動的に固定する。そして、ノズルケーシング１１の内周面とボール１３の外周面との間にエアゾール内容物が流通し得る流通間隔１５を形成する。【選択図】図１
2005082224.tif 000002
【特許請求の範囲】
【請求項１】
エアゾール容器のバルブ機構と連通するノズルケーシングの先端にボールを配置し、このボールの配置状態において、ボールの半球よりも先端側までノズルケーシングの先端固定部を延伸して配置し、この先端固定部をボールの半球よりも先端側の外周面に巻締め固定することにより、ボールをノズルケーシングに不動的に固定するとともにノズルケーシングの内周面とボールの外周面との間にエアゾール内容物が流通し得る流通間隔を形成したことを特徴とする微量噴霧用のエアゾール装置。
【請求項２】
ノズルケーシングの内周面とボールの外周面との間に形成される流通間隔は、ノズルケーシングの内周面及び又はボールの外周に、梨地模様を設けることにより形成した事を特徴とする請求項１の微量噴霧用のエアゾール装置。
【請求項３】
ノズルケーシングの内周面とボールの外周面との間に形成される流通間隔は、ノズルケーシングの内周面及び又はボールの外周に、流通溝を設けることにより形成したことを特徴とする請求項１の微量噴霧用のエアゾール装置。
【請求項４】
流通溝は、ノズルケーシングの内周面軸方向に３〜８個形成したことを特徴とする請求項３の微量噴霧用のエアゾール装置。
【請求項５】
流通溝は、深さ０．１ｍｍ〜１．５ｍｍ、幅０．０５ｍｍ〜０．１ｍｍの範囲にて形成したことを特徴とする請求項３又は４の微量噴霧用のエアゾール装置。
【請求項６】
ボールの直径は０．３ｍｍ〜１．５ｍｍの範囲にて形成したことを特徴とする請求項１、２、又は３の微量噴霧用のエアゾール装置。
【請求項７】
流通間隔へのエアゾール内容物の供給は、流通間隔とエアゾール内容物を導入するステムとの間に、エアゾール内容物を含浸流通させる含浸体を配置したことを特徴とする請求項１、２、３、４または５の微量噴霧用のエアゾール装置。
【請求項８】
ノズルケーシングへのボールの配置は、バルブ機構と連通するエアゾール内容物の導出路に環状リブを形成し、この環状リブにエアゾール内容物を流通させるための流通溝を、エアゾール内容物の流通方向に配置し、この流通溝を形成した環状リブの先端固定部側にボールを配置した状態で、ボールの半球よりも先端側に先端固定部が配置されるとともに、流通溝から導入されるエアゾール内容物を、ボールの表面を介して流通間隔に供給することを特徴とする請求項１、２、３、４、５、６または７の微量噴霧用のエアゾール装置。
【請求項９】
エアゾール内容物の噴霧は、エアゾール容器内のエアゾール内容物の一部を小分け分配室に小分けして収納し、この小分け分配室に、微量噴霧用のノズルを配置するものであることを特徴とする請求項１、２、３、４、６、７または８の微量噴霧用のエアゾール装置。
【請求項１０】
エアゾール内容物の噴霧は、継続噴霧機構を介して噴霧を行うものである事を特徴とする請求項１、２、３、４、５、６、７、８または９の微量噴霧用のエアゾール装置。
【発明の詳細な説明】
【技術分野】
【０００１】
本発明は、エアゾール内容物の微量噴霧を行うための微量噴霧用のエアゾール装置に係るもので、１本のエアゾール容器内に充填されたエアゾール内容物を、数十分、数時間、数日、数週間等の単位で長期間、噴霧し続けることを可能とするものである。
【背景技術】
【０００２】
【特許文献１】特公平８−２９７９４号公報
【０００３】
従来より、エアゾール内容物の噴霧を行う場合、一度に大量の噴霧を行う目的で開発されたものと、エアゾール内容物を微細粒子として比較的少量の噴霧を行うことを目的として開発されたものとが存在する。この少量の噴霧を行うことを目的としたものに於いては、エアゾール内容物の流出量を抑制するため、ノズルの直径を細くしたり、エアゾール内容物の流通路内に流量を抑制する部材を配置することが行われている。しかしながら、ノズルの直径を細くするのは工作上限界があり、また、流通路内に流量を抑制する部材を配置する方法も、ノズル部の直径を極小のものとしない限り有効なものとはならないが、この場合も工作精度に限界があるものであった。
【０００４】
また、上記の課題を解決する目的で提案されたものとして、特許文献１に示す如く、押釦内のノズルの内側にボールを自由自在に移動し得るよう挿入し、このボールを押釦内のノズルの内側でエアゾール内容物に因って運動量を付与する事により、押釦内とボールの外周面との間に形成される流通間隔を介して、ノズルからエアゾール内容物を微粒子化して噴霧するようにしたものが存在する。
【発明の開示】
【発明が解決しようとする課題】
【０００５】
しかしながら、微粒子化されたエアゾール内容物を長期間噴霧するためには、エアゾール内容物の流通間隔を極小化する事が不可欠であるが、特許文献１に記載の発明では押釦内のノズルの内側に、ボールを自由自在に移動し得るよう挿入したものであるから、押釦内とボールの外周面との間に形成される流通間隔を、長期間噴霧が可能となるよう極小化して形成するのは工作上困難な事である。
【０００６】
本願発明は上述のごとき課題を解決しようとするものであって、高度の工作精度を不要としながら、エアゾール内容物を噴霧するノズル部の流通間隔を極小化し、エアゾール容器内に充填されたエアゾール内容物を、数十分、数時間、数日、数週間等の単位で長期間、噴霧し続けることを可能とするものである。
【課題を解決するための手段】
【０００７】
本発明は、エアゾール容器のバルブ機構と連通するノズルケーシングの先端にボールを配置し、このボールの配置状態において、ボールの半球よりも先端側までノズルケーシングの先端固定部を延伸して配置し、この先端固定部をボールの半球よりも先端側の外周面に巻締め固定することにより、ボールをノズルケーシングに不動的に固定するとともにノズルケーシングの内周面とボールの外周面との間にエアゾール内容物が流通し得る流通間隔を形成して成るものである。
【０００８】
また、ノズルケーシングの内周面とボールの外周面との間に形成される流通間隔は、ノズルケーシングの内周面及び又はボールの外周に、梨地模様を設けることにより形成したものであっても良い。
【０００９】
また、ノズルケーシングの内周面とボールの外周面との間に形成される流通間隔は、ノズルケーシングの内周面及び又はボールの外周に、流通溝を設けることにより形成したものであっても良い。
【００１０】
また、流通溝は、ノズルケーシングの内周面軸方向に３〜８個形成したものであっても良い。
【００１１】
また、流通溝は、深さ０．１ｍｍ〜１．５ｍｍ、幅０．０５ｍｍ〜０．１ｍｍの範囲にて形成したものであっても良い。
【００１２】
また、ボールの直径は０．３ｍｍ〜１．５ｍｍの範囲にて形成したものであっても良い。
【００１３】
また、流通間隔へのエアゾール内容物の供給は、流通間隔とエアゾール内容物を導入するステムとの間に、エアゾール内容物を含浸流通させる含浸体を配置したものであっても良い。
【００１４】
また、ノズルケーシングへのボールの配置は、バルブ機構と連通するエアゾール内容物の導出路に環状リブを形成し、この環状リブにエアゾール内容物を流通させるための流通溝を、エアゾール内容物の流通方向に配置し、この流通溝を形成した環状リブの先端固定部側にボールを配置した状態で、ボールの半球よりも先端側に先端固定部が配置されるとともに、流通溝から導入されるエアゾール内容物を、ボールの表面を介して流通間隔に供給するものであっても良い。
【００１５】
また、エアゾール内容物の噴霧は、エアゾール容器内のエアゾール内容物の一部を小分け分配室に小分けして収納し、この小分け分配室に、微量噴霧用のノズルを配置するものであっても良い。
【００１６】
また、エアゾール内容物の噴霧は、継続噴霧機構を介して噴霧を行うものであっても良い。
【発明の効果】
【００１７】
本発明は上述の如く構成することにより高度の工作精度を不要としながら、エアゾール内容物を噴霧するノズル部の流通間隔を極小とし、エアゾール容器内に充填されたエアゾール内容物を、数十分、数時間、数日、数週間等の単位で長期間、噴霧し続けることを可能とすることにより、一度気に噴霧したのでは人体への影響が好ましくない殺虫剤、害虫忌避剤、消毒薬等を微量に長時間噴霧することにより、人間への影響を少なくしながら有効な殺虫効果を得たり、忌避効果、消毒効果を得ることを可能にする。また、香水、消臭剤等を長期間、微量噴霧することにより室内の環境を改善し、良好な居住空間を得ることができるものである。
【実施例１】
【００１８】
以下本発明の第１実施例を図１〜図４に於いて説明すれば、(１)はエアゾール容器で、内部にエアゾール内容物を充填するとともに上端にマウテンカップ(２)を固定している。このマウテンカップ(２)は内面にハウジング(３)を介してバルブ機構(図示せず)を接続し、このバルブ機構を、ステム(４)を押圧することにより開弁し、エアゾール内容物の噴霧を可能としている。このステム(４)にはステム(４)を押圧するための鍔部材(５)を接続している。この鍔部材(５)は、外周にフランジ(６)を突設するとともに中央部上面に突出した連結部(７)の外周に、上部被覆体(８)螺着している。
【００１９】
また、鍔部材(５)は軸心にエアゾール内容物を流通するための流通路(１０)を貫通形成し、この流通路(１０)に連通してエアゾール容器(１)のバルブ機構と連通するノズルケーシング(１１)を配置している。このノズルケーシング(１１)は、上部被覆体(８)を貫通して先端を上部に突出すると共に、流通路(１０)側に、エアゾール内容物を含浸流通させる含浸体(１２)を配置し、この含浸体(１２)を介してステム(４)からノズルケーシング(１１)にエアゾール内容物を導入するよう構成している。この含浸体(１２)はエアゾール内容物を含浸流通させる事ができるもので有れば特に材質を限定されるものではないが、連続気泡を有する樹脂、燒結体、フェルト等多孔質体を用いる事が出来る。この含浸体(１２)を介してステム(４)からノズルケーシング(１１)にエアゾール内容物を導入する事により、エアゾール内容物の流量及び流通圧力をを抑制することが出来るため、微量噴霧に有効なものである。
【００２０】
また、ノズルケーシング(１１)の先端にはボール(１３)を配置している。このボール(１３)は、ノズルケーシング(１１)への配置状態において、ボール(１３)の半球よりも先端側までノズルケーシング(１１)の先端固定部(１４)を延伸して配置し、この先端固定部(１４)をボール(１３)の半球よりも先端側の外周面に巻締め固定することにより、ボール(１３)をノズルケーシング(１１)に不動的に固定する。このように先端固定部(１４)をボール(１３)の半球よりも先端側の外周面に巻締め固定すれば、ボール(１３)がノズルケーシング(１１)より離脱する事がない。
【００２１】
また、ノズルケーシング(１１)の内周面とボール(１３)の外周面との間に、エアゾール内容物が流通し得る流通間隔(１５)を形成する。この流通間隔(１５)の形成は、ノズルケーシング(１１)の内周面及び又はボール(１３)の外周に、梨地模様(図示せず)を設けることにより形成すれば、ボール(１３)への先端固定部(１４)の巻締め力をそれほど厳密なものとしなくとも、流通間隔(１５)を微細とするのが容易なものとなり、高度の工作精度を不要することが出来る。
【００２２】
また、ノズルケーシング(１１)の内周面とボール(１３)の外周面との間に形成される流通間隔(１５)は、ノズルケーシング(１１)の内周面及び又はボール(１３)の外周に、流通溝(１７)を設けることにより形成するものであっても良い。流通溝(１７)の形成は、ノズルを貫通孔で形成する場合に比較し工作が容易で、工作精度を高いものとする事が出来る。上記の梨地模様、流通溝(１７)等は、ボール(１３)を前提として形成が可能なものである。また、上記の梨地模様、流通溝等を用いない場合にも、巻締めによる流通間隔(１５)の形成は比較的容易なものであるから、ボール(１３)への先端固定部(１４)の巻締め力を、それほど厳密なものとしなくとも、ボール(１３)と先端固定部(１４)間に微細な流通間隔(１５)を形成する事は、貫通孔を形成する場合に比較し容易なものとなる。
【００２３】
また、ノズルケーシング(１１)の先端固定部(１４)へのボール(１３)の配置は、上述の通りであるが、このボール(１３)は、バルブ機構(図示せず)と連通するエアゾール内容物の流通路(１０)に環状リブ(１６)を形成し、この環状リブ(１６)にボール(１３)を載置することにより、前記の先端固定部(１４)の巻締め力でノズルケーシング(１１)にボール(１３)を固定するものである。また、環状リブ(１６)にはエアゾール内容物を流通させるための流通溝(１７)を、エアゾール内容物の流通方向に配置し、この流通溝(１７)を形成した環状リブ(１６)の先端固定部(１４)側にボール(１３)を配置し、流通溝(１７)から導入されるエアゾール内容物を、ボール(１３)の表面を介して流通間隔(１５)に供給するものである。
【００２４】
上述の如く構成したものに於いて、エアゾール内容物の噴霧を行うには、鍔部材(５)を介してステム(４)を押圧すれば、バルブ機構が開弁されてエアゾール内容物が流通路(１０)に流出し、環状リブ(１６)の流通溝(１７)を介して流通間隔(１５)に導入される。流通間隔(１５)は前述の如く、ボール(１３)と先端固定部(１４)間に微細な間隔で形成したものであるから、エアゾール内容物は流量が極度に抑制されると共に噴霧粒子が微細化し、大気中への拡散を容易なものとする事が出来る。従って、本実施例に因ればエアゾール内容物を、数十分、数時間、数日、数週間等の単位で長期間、噴霧し続けることを可能とする。
【実施例２】
【００２５】
また、このような長期間の噴霧を手作業で継続するのは困難であるから、第２実施例では、エアゾール内容物の噴霧を、継続噴霧機構(１８)を介して行うものである。この継続噴霧機構(１８)は従来公知のものであっても良いし、任意の機構を選択する事が出来るが、図８に示す如く、エアゾール容器(１)のマウテンカップ(２)に固定した固定枠(２０)に、ステム(４)の軸方向と直角に交差する上下２段の上溝(２１)と下溝(２２)を設ける。この上溝(２１)と下溝(２２)を傾斜溝(２３)で接続し、図９に示す如く、ステム(４)に固定した鍔部材(５)の外周をこの溝に嵌合し、鍔部材(５)の外周が上溝(２１)に位置する場合はステム(４)を押圧しないが、鍔部材(５)の外周を下溝(２２)まで移動させたときにはステム(４)を押圧し、この押圧状態を継続するものである。
【実施例３】
【００２６】
また、上記の各実施例では、ステム(４)を押圧する等のバルブ機構の開弁動作中のみエアゾール内容物の噴霧を行うものとしたが、この場合には開弁動作を中止すればエアゾール内容物の噴霧は中止されるし、継続噴霧機構(１８)を用いる場合は、エアゾール容器(１)内のエアゾール内容物が全量噴霧されるものとなる。本発明の第３実施例では、図５に示す如く、ステム(４)に小分け分配室(２４)を接続し、この小分け分配室(２４)にノズルケーシング(１１)を接続するものである。小分け分配室(２４)は、ステム(４)と接続した下端側に、このステム(４)と小分け分配室(２４)とを連通する導入ノズル(２５)を開口している。また、この導入ノズル(２５)に臨ませて、上部方向に導出路(２６)を配置し、この導出路(２６)によって、小分け分配室(２４)の下底方向の空間と、上端に設けたノズルケーシング(１１)の流通間隔(１５)とを連通する事により、小分け分配室(２４)内のエアゾール内容物を外部に噴霧可能としている。また、導入ノズル(２５)は、ステム(４)から小分け分配室(２４)方向に放射状に開口する事により、ステム(４)から噴出するエアゾール内容物が導出路(２６)内に直に流入するのを防ぎ、いったん小分け分配室(２４)内に流入した後、この小分け分配室(２４)から導出路(２６)内に流入するものとしている。
【００２７】
また、ステム(４)の押圧時に、ステム(４)から小分け分配室(２４)にエアゾール内容物が導入される時間当たりの導入量よりも、ノズルケーシング(１１)の流通間隔(１５)から流出するエアゾール内容物の時間当たり噴霧量を少ないものとすれば、小分け分配室(２４)に導入されたエアゾール内容物のみが流通間隔(１５)から一定期間流出するものとなり、エアゾール容器(１)内の全量噴霧を行わないものとなる。この場合は、比較的短期間の噴霧を複数回行うのに適したものとなる。
【００２８】
また、図５に示す実施例では小分け分配室(２４)をステム(４)に連結し、他の保持手段を備えていない。この実施例は構造が簡易で廉価な製品を得る事が出来るが、不安定であるため、図６に示す如く、マウテンカップ(２)に支持枠(２７)を固定し、この支持枠(２７)に小分け分配室(２４)を上下動可能に接続しても良い。
【００２９】
また、上記の各実施例ではエアゾール内容物をエアゾール容器(１)の上部方向に噴霧する形態としているが、図９に示す実施例では、エアゾール容器(１)の側面にノズルケーシング(１１)を配置し、側面方向にエアゾール内容物を噴霧するように形成している。
【図面の簡単な説明】
【００３０】
【図１】第１実施例を示す断面図。
【図２】図１のノズルケーシング部分の拡大図。
【図３】ノズルケーシングのボール部分の拡大断面図。
【図４】図３のボールを取り除いたＡ−Ａ線断面図。
【図５】小分け分配室を設けた第２実施例の断面図。
【図６】小分け分配室を支持枠に接続した状態の断面図。
【図７】継続噴霧機構を設けた状態の断面図。
【図８】図７の側面図。
【図９】エアゾール容器の側面方向にノズルケーシングを設けた状態の断面図。
【符号の説明】
【００３１】
１    エアゾール容器
４    ステム
１１    ノズルケーシング
１２    含浸体
１３    ボール
１４    先端固定部
１５    流通間隔
１６    環状リブ
１７    流通溝
【図１】
2005082224.tif 000003
【図２】
2005082224.tif 000004
【図３】
2005082224.tif 000005
【図４】
2005082224.tif 000006
【図５】
2005082224.tif 000007
【図６】
2005082224.tif 000008
【図７】
2005082224.tif 000009
【図８】
2005082224.tif 000010
【図９】
2005082224.tif 000011